(57)【特許請求の範囲】
【請求項１】
浴槽(2)に形成した浴湯流入口(3)と浴湯流出口(4)との間に、熱交換器(5)と循環ポンプ(6)とを連通連結して、浴湯循環流路(7)を形成してなる風呂給湯機において、
浴湯循環流路(7)に温度センサー(13)と水流センサー(14)とを設け、水流センサー(14)により浴湯が所定時間連続又は断続して浴湯循環流路(7)の内部を循環していることを検出した時に、温度センサー(13)により浴湯の温度を検出し、検出温度が安全温度よりも高温の場合には、燃焼を停止すべく構成したことを特徴とする風呂給湯機。
【発明の詳細な説明】
【０００１】
【発明の属する技術分野】
本発明は、風呂給湯機に関するものである。
【０００２】
【従来の技術】
従来の風呂給湯機としては、例えば、特開平２−１６１２５１号公報に開示されているように、浴槽に浴湯流入口と浴湯流出口とを形成し、浴湯流入口と浴湯流出口との間に熱交換器と循環ポンプとを連通連結して浴湯循環流路を形成し、同浴湯循環流路に温度センサーを設けて、同温度センサーにより浴湯循環流路の内部を流れる浴湯の温度を検出し、検出温度が安全温度よりも高温の場合には、警告音を発するように構成したものがある。
【０００３】
また、前記浴湯循環流路に、外部から湯水を供給するための入水流路を連通連結し、同入水流路にソーラー給湯機を接続するとともに、入水流路に温度センサーを設けて、同温度センサーによりソーラー給湯機から流入する湯水の温度を検出し、検出温度が安全温度よりも高温の場合には、燃焼を停止するように構成したものがある。
【０００４】
【発明が解決しようとする課題】
ところが、上記従来の風呂給湯機にあっては、浴湯循環流路の内部を浴湯が循環しているか否かにかかわらず、温度センサーにより浴湯の温度を検出していたために、熱交換器が発生する熱によって給湯機の内部の温度が高温になった場合や、夏場等に外気温度が高温になった場合等には、温度センサーが高温を検知してしまい、風呂給湯機が異常を誤検知するおそれがあった。
【０００５】
また、ソーラー給湯機を接続したものにあっても、安全温度よりも高温の場合には、燃焼を停止するだけであったため、ソーラー給湯機から浴槽に高温の湯がそのまま供給されてしまい、浴槽使用者が火傷を負うおそれがあった。
【０００６】
【課題を解決するための手段】
そこで、本発明では、浴槽に形成した浴湯流入口と浴湯流出口との間に、熱交換器と循環ポンプとを連通連結して、浴湯循環流路を形成してなる風呂給湯機において、浴湯循環流路に温度センサーと水流センサーとを設け、水流センサーにより浴湯が所定時間連続又は断続して浴湯循環流路の内部を循環していることを検出した時に、温度センサーにより浴湯の温度を検出し、検出温度が安全温度よりも高温の場合には、燃焼を停止すべく構成することとした。
【０００８】
【発明の実施の形態】
本発明に係る風呂給湯機は、浴槽に形成した浴湯流入口と浴湯流出口との間に、熱交換器と循環ポンプとを連通連結して、浴湯循環流路を形成し、同浴湯循環流路に温度センサーと水流センサーとを設けたものである。
【０００９】
そして、水流センサーにより浴湯が所定時間連続又は継続して浴湯循環流路の内部を循環していることを検出した時に、温度センサーにより浴湯の温度を検出し、検出温度が安全温度よりも高温の場合には、燃焼を停止することとしたものである。
【００１０】
従って、浴湯が連続して又は断続して循環している時のみ温度検出が行われることとなり、燃焼の際に発生する熱によって内部の温度が高温になった場合や、夏場等に外気温度が高温になった場合等でも、温度センサーが高温を検知することがなく、風呂給湯機の異常の誤検知を未然に防止することができる。
【００１１】
しかも、検出温度が高温の場合には、燃焼を停止するようにしているため、安全性を向上させることができる。
【００１２】
また、本発明に係る風呂給湯機は、浴槽に形成した浴湯流入口に、外部から湯水を供給するための入水流路を連通連結し、同入水流路に温度センサーを設け、同温度センサーにより入水流路の内部を流れる湯水の温度を検出し、検出温度が安全温度よりも高温の場合には、浴槽への給湯作動を停止すべく構成したものである。
【００１３】
従って、入水流路に流入する高温の湯水が浴槽の内部に供給されることがなくなり、浴槽使用者が誤って高温の浴槽の内部につかることがなく、安全性を向上させることができる。
【００１４】
特に、入水流路にソーラー給湯機を接続した場合には、燃焼を停止しても、ソーラー給湯機からの高温の湯が浴槽の内部に供給されてしまうため、浴槽使用者が火傷を負うおそれがあったが、上述したように、浴槽への給湯作動を停止することにより、浴槽の内部に高温の湯が供給されることがなくなり、安全性を向上させることができる。
【００１５】
【実施例】
以下に、本発明の実施例について図面を参照しながら説明する。
【００１６】
図１は、本発明に係る風呂給湯機１を示した図であり、風呂給湯機１は、浴槽２に形成した浴湯流入口３と浴湯流出口４との間に、熱交換器５と循環ポンプ６とを連通連結して、浴湯循環流路７を形成している。
【００１７】
浴湯循環流路７は、浴湯吸入口８と循環ポンプ６とを連通連結する浴湯吸入パイプ９と、循環ポンプ６と熱交換器５とを連通連結する中間パイプ１０と、熱交換器５と浴湯供給口１１とを連通連結する浴湯供給パイプ１２とから構成しており、浴湯吸入パイプ９の中途部には、浴湯の温度を検出するための温度センサー１３を取付け、中間パイプ１０の中途部には、浴湯が流動していることを検出するための水流センサー１４を取付けている。図中、１５は浴湯流入口３と浴湯供給口１１とを連通連結する浴湯流入パイプ、１６は浴湯流出口４と浴湯吸入口８とを連通連結する浴湯流出パイプ、１７はポンプ水抜栓、１８はポンプ水抜パイプである。
【００１８】
また、浴湯循環流路７には、外部から湯水を供給するための入水流路１９を連通連結しており、同入水流路１９には、風呂給湯機１の外部から水道栓やソーラー給湯機等を連通連結できるようにしている。
【００１９】
入水流路１９は、入水口２０と熱交換器５とを連通連結する入水パイプ２１と、熱交換器５と給湯口２２とを連通連結する給湯パイプ２３と、同給湯パイプ２３の中途部と前記浴湯供給パイプ１２の中途部とを連通連結する入水供給パイプ２４とから構成している。図中、２５，２６  は連結パイプ、２７は混合弁、２８は水量比例弁である。
【００２０】
入水パイプ２１の中途部には、温度センサー２９と水量センサー３０とを取付ける一方、入水供給パイプ２４の中途部には、温度センサー３１と水量センサー３２と入水供給遮断弁３３とを取付けている。
【００２１】
熱交換器５は、下部に送風機３４を配設し、同送風機３４の上部にバーナ３５を配設し、同バーナ３５の直上方位置に給湯加熱パイプ３６と循環パイプ３７を配設し、熱交換器５の上方位置に排気口３８を形成しており、循環パイプ３７には、中間パイプ１０と浴湯供給パイプ１２とを連通連結し、給湯加熱パイプ３６には、入水パイプ２１と給湯パイプ２３とを連通連結している。図中、３９は吸熱フィン、４０は給湯沸騰防止サーミスタ、４１は温度センサーである。
【００２２】
バーナ３５には、燃料としてのガスを供給するガス供給パイプ４２を連通連結しており、同ガス供給パイプ４２の中途部にガス供給遮断弁４３を介設している。図中、４４は切替弁、４５はガバナ付ガス比例弁、４６はガス供給口である。
【００２３】
各種センサー等は制御部４７に接続されている。すなわち、浴湯吸入パイプ９に取付けた温度センサー１３、中間パイプ１０に取付けた水流センサー１４、入水パイプ２１に取付けた温度センサー２９、入水供給パイプ２４に取付けられた温度センサー３１と水量センサー３２、更には、入水供給パイプ２４に取付けた入水供給遮断弁３３、ガス供給パイプ４２に取付けたガス供給遮断弁４３等は、制御部４７に接続されており、同制御部４７によって、以下に説明するように、適宜制御される。
【００２４】
すなわち、浴槽２の内部に浴湯を供給する湯はり作動を行わせる場合には、入水供給遮断弁３３を開弁して、入水口２０から水道水を吸入し、ガス供給遮断弁４３を開弁してバーナ３５を燃焼状態とし、水道水を熱交換器５で加熱した後、浴槽２へ供給する。
【００２５】
そして、温度センサー３１によって検出した温度が予め設定した設定温度と略同一温度となるようにガバナ付ガス比例弁４５と混合弁２７とを作動させるとともに、水量センサー３２によって供給量を検出して、予め設定した設定量だけ浴槽２へ供給するようにしている。
【００２６】
その際に、入水パイプ２１に設けた温度センサー２９により入水流路１９の内部を流れる湯水の温度を検出しており、検出温度が安全温度よりも高温の場合には、浴槽２への給湯作動を停止するようにしている。尚、温度センサー３１，４１  により温度を検出することもできる。
【００２７】
図２に示すフローチャートに基づき具体的に説明すると、湯はり作動を行わせるには、浴槽使用者によってお湯はりスイッチ（図示省略）がＯＮされたことを検出した時、入水供給遮断弁３３を開弁して、外部から湯水を入水流路１９を介して浴槽２の内部へ供給する。その際に、必要に応じてバーナ３５を燃焼状態として熱交換器５によって湯水を加熱する。
【００２８】
そして、入水パイプ２１に設けた温度センサー２９によって検出される入水温度が安全温度、すなわち、予め設定した設定温度よりも５℃以上高温の状態が所定時間（２分間）連続して続く場合には、入水供給遮断弁３３を閉弁し、外部からの入水を停止するとともに、湯はり温度が高温であることを表示した後に、給湯作動を停止する。
【００２９】
また、入水供給パイプ２４に設けた温度センサー３１によって検出される湯はり温度が安全温度、すなわち、予め設定した設定温度よりも５℃以上高温の状態が所定時間（２分間）連続して続く場合にも、入水供給遮断弁３３を閉弁し、外部からの入水を停止するとともに、湯はり温度が高温であることを表示した後に、給湯作動を停止する。
【００３０】
一方、入水供給パイプ２４に設けた水量センサー３２によって、予め設定した設定量だけ湯を張ったことを検出した場合には、入水供給遮断弁３３を閉弁して、湯はり作動を正常終了する。
【００３１】
このように、外部から供給されて入水流路１９の内部を流れる湯水の温度を検出し、検出温度が高温の場合には、給湯作動を停止するようにしているため、入水流路１９に流入する高温の湯水が浴槽２の内部に供給されることがなくなり、浴槽使用者が誤って高温の浴槽２の内部につかることがなく、安全性を向上させることができる。
【００３２】
特に、入水流路１９にソーラー給湯機を接続した場合には、熱交換器５の作動を停止しても、ソーラー給湯機からの高温の湯が浴槽２の内部に供給されてしまうため、浴槽使用者が火傷を負うおそれがあったが、上述したように、給湯作動を停止することにより、浴槽２の内部に高温の湯が供給されることがなくなり、安全性を向上させることができる。
【００３３】
浴槽２の内部の浴湯を加熱しながら循環させる追い焚き作動を行わせる場合には、循環ポンプ６を作動させるとともに、ガス供給遮断弁４３を開弁してバーナ３５を燃焼状態として、浴槽２の内部の浴湯を加熱した後に、再び浴槽２の内部へ戻す。
【００３４】
そして、温度センサー１３によって検出した温度が予め設定した設定温度と略同一温度となるまで追い焚きを行って、浴湯を沸かす。
【００３５】
通常は、浴湯が沸き上がったことを検出するための沸き上がり検出手段によって、温度センサー１３により検出した浴湯の温度が、予め設定した設定温度となった時点で追い焚きを停止する。
【００３６】
しかし、沸き上がり検出手段が故障した場合には、沸き上がりの検出ができなくなってしまい、追い焚きが継続されてしまう。
【００３７】
その場合には、浴湯循環流路７に設けた水流センサー１４により浴湯が所定時間連続又断続して浴湯循環流路７の内部を循環していることを検出している時に、浴湯循環流路７に設けた温度センサー１３により浴湯の温度を検出し、検出温度が所定温度よりも高温の場合には、給湯作動を停止するようにしている。ここで、所定温度は、火傷のおそれのない５０℃の安全温度としている。
【００３８】
図３に示すフローチャートに基づき具体的に説明すると、追い焚き作動を行わせている場合には、中間パイプ１０に設けた水流センサー１４により浴湯が予め定めた所定時間（４５秒間）連続又は断続して中間パイプ１０の内部を循環していることを検出した時に、浴湯吸入パイプ９に設けた温度センサー１３により浴湯の温度を検出し、検出した風呂戻り温度が予め定めた安全温度（５０℃）よりも高温の状態が予め定めた時間（１分間）以上続く場合には、熱交換器５と循環ポンプ６の作動を停止して、風呂温度が異常であることを表示するとともに、追い焚き燃焼を停止する。
【００３９】
このように、浴湯が所定時間連続又は断続して浴湯循環流路７の内部を循環していることを検出した時に、浴湯循環流路７の内部の浴湯の温度を検出しているために、浴湯が循環している時のみ温度検出が行われることとなり、燃焼によって発生する熱によって内部の温度が高温になった場合や、夏場等に外気温度が高温になった場合等でも、温度センサー１３が高温を検知することがなく、風呂給湯機１の異常の誤検知を未然に防止することができる。
【００４０】
しかも、検出温度が高温の場合には、給湯作動を停止するようにしているため、安全性を向上させることができる。
【００４１】
【発明の効果】
本発明は、以上説明したような形態で実施され、以下に記載されるような効果を奏する。
【００４２】
（１）  請求項１記載の本発明では、浴湯循環流路に温度センサーと水流センサーとを設け、水流センサーにより浴湯が所定時間連続又は断続して浴湯循環流路の内部を循環していることを検出した時に、温度センサーにより浴湯の温度を検出し、検出温度が安全温度よりも高温の場合には、燃焼を停止すべく構成しているため、浴湯が循環している時のみ温度検出が行われることとなり、燃焼によって発生する熱によって内部の温度が高温になった場合や、夏場等に外気温度が高温になった場合等でも、温度センサーが高温を検知することがなく、風呂給湯機の異常の誤検知を未然に防止することができる。
【００４３】
しかも、検出温度が高温の場合には、給湯作動を停止するようにしているため、安全性を向上させることができる。
【図面の簡単な説明】
【図１】本発明に係る風呂給湯機を示す説明図。
【図２】風呂給湯機の湯はり作動を示すフローチャート。
【図３】風呂給湯機の追い焚き作動を示すフローチャート。
【符号の説明】
１    風呂給湯機
２    浴槽
３    浴湯流入口
４    浴湯流出口
５    熱交換器
６    循環ポンプ
７    浴湯循環流路
１３，３１  温度センサー
１４    水流センサー
１９    入水流路
３３    入水供給遮断弁
【図１】
0003576796.tif 000002
【図２】
0003576796.tif 000003
【図３】
0003576796.tif 000004